(57)【要約】【課題】実用性の高い印刷機械のインキ供給装置を提供すること。【解決手段】印刷機械のインキ供給装置１には、インキ元ローラ２と中間ローラ３が隣り合って設けられる。インキ元ローラ２へのインキ供給には、インキ噴霧装置７が用いられる。インキ噴霧装置７へのインキ供給には、インキタンク８からのインキ供給管１１が用いられる。インキ噴霧装置７は、インキ元ローラ２のおよそ回転中心方向の表面に向けてインキを噴霧する。そして、インキ元ローラ２の軸方向全体にわたり、その周囲には、覆被体４，９が設けられる。これによって、インキの飛散が防止されると共に、噴霧雰囲気を覆い閉じこめる効果があるので、インキの乾燥防止に役立つ。【選択図】        図１−１
2008030242.tif 000002
【特許請求の範囲】
【請求項１】
版胴に塗布するインキを転移供給するローラに当該インキを噴霧する噴霧装置を有する印刷機械のインキ供給装置において、
前記ローラの周囲に覆被体が設けられることを特徴とする印刷機械のインキ供給装置。
【請求項２】
前記覆被体は、前記噴霧装置の周囲を取り囲んで設けられると共に、隣り合うローラに干渉しない範囲で、前記ローラの周囲を取り囲んで設けられることを特徴とする請求項１に記載の印刷機械のインキ供給装置。
【請求項３】
版胴に塗布するインキを転移供給するローラに当該インキを噴霧する噴霧装置を有する印刷機械のインキ供給装置において、
前記噴霧装置により前記ローラの表面に塗布された前記インキに縁部が接触するように設置される板状体を有することを特徴とする印刷機械のインキ供給装置。
【請求項４】
版胴に塗布するインキを転移供給するローラに当該インキを噴霧する噴霧装置を有する印刷機械のインキ供給装置において、
前記噴霧装置により前記ローラの表面に塗布された前記インキに当該ローラの軸幅にわたって縁部が接触する板状体を有し、且つ、当該板状体は、請求項１または２に記載の覆被体と一体となっていることを特徴とする印刷機械のインキ供給装置。
【請求項５】
一体となった前記覆被体と前記板状体とで形成されるポケット部から前記板状体で掻き取った前記インキがインキタンクに回収され、再び前記噴霧装置へのインキ供給に用いられることを特徴とする請求項４に記載の印刷機械のインキ供給装置。
【請求項６】
前記インキタンク内には、撹拌手段が設けられることを特徴とする請求項５に記載の印刷機械のインキ供給装置。
【請求項７】
さらに、前記噴霧装置は、噴霧媒体供給源として洗浄剤タンクを有し、当該洗浄剤タンクから洗浄剤が供給され、前記ポケット部で前記洗浄剤が回収され、前記洗浄剤タンクに溜められることを特徴とする請求項５または６に記載の印刷機械のインキ供給装置。
【請求項８】
前記噴霧装置は、噴霧口が、前記ローラと隣合うローラとの境目に向けられることを特徴とする請求項１〜７のいずれか一つに記載の印刷機械のインキ供給装置。
【発明の詳細な説明】
【技術分野】
【０００１】
本発明は、版胴に転動供給するインキの供給手段として噴霧装置を用いる印刷機械のインキ供給装置に関するものである。
【背景技術】
【０００２】
従来から、多くの印刷機械、特にオフセット印刷機械では、版胴に塗布するインキの供給源としてインキ壺が用いられてきた。インキ壺を用いる方式では、基本的にインキが蓋無しの壺に溜められ、開放されているので、インキが空気に晒されて物性の経時変化を起こす可能性があった。また、外部のごみ、塵がインキ内に混入する可能性もあった。さらに、インキには粘度の高い油性インキが用いられることにより、いくつかのローラを介して練りながら版胴にインキを転動供給する際に、インキ壺と版胴との途中にあるローラの回転速度を上げることができず、印刷速度向上の妨げとなっていた。
【０００３】
また、インキを連続供給する際には、インキ壺から直接インキを受け取るインキ元ローラと、それと隣り合って接触する受け渡しローラとの間にスリップが発生し、機外へインキが飛散してしまうこともあった。さらに、版の絵柄によって、適宜インキ量を制御する所謂インキ呼び出し供給では、呼び出しローラがインキ元ローラとゴムローラの間を往復運動するため、機械の振動の原因となり得た。
【０００４】
そこで、最近では、上記欠点の無いインキ供給源または供給手段として、インキ壺ではなく、インキ噴霧装置を用いるタイプの印刷機械が用いられるようになってきた（たとえば、特許文献１）。
【０００５】
【特許文献１】特開平９−３９２１０号公報
【発明の開示】
【発明が解決しようとする課題】
【０００６】
しかしながら、単にインキ供給源（手段）として噴霧装置を用いるとしても、実際の印刷機械の内部機構として利用するには、未だ実用的なレベルではなく、インキの噴霧による飛散等を考慮しなくては実用に耐えない。
【０００７】
そこで、本発明は、上記に鑑みてなされたものであって、噴霧後のインキの乾燥防止や飛散防止等を可能とし、実用に耐える印刷機械のインキ供給装置を提供することを目的とする。
【課題を解決するための手段】
【０００８】
上述した課題を解決し、目的を達成するために、本発明に係る印刷機械のインキ供給装置は、版胴に塗布するインキを転移供給するローラに当該インキを噴霧する噴霧装置を有する印刷機械のインキ供給装置において、前記ローラの周囲に覆被体が設けられるようにしたものである。
【０００９】
覆被体は、噴霧装置から噴霧されたインキの飛散を防止し、インキ噴霧の雰囲気も閉じこめる効果があるので、インキの乾燥が防止される。
【００１０】
また、本発明に係る印刷機械のインキ供給装置は、前記印刷機械のインキ供給装置において、前記覆被体は、前記噴霧装置の周囲を取り囲んで設けられると共に、隣り合うローラに干渉しない範囲で、前記ローラの周囲を取り囲んで設けられるようにしたものである。
【００１１】
この発明では、覆被体は、前記噴霧装置の周囲を取り囲んで設けられると共に、隣り合うローラに干渉しない範囲で、前記ローラの周囲を取り囲んで設けられるので、噴霧装置とローラの周りをより密閉した空間にするので、インキの飛散を防止すると共に、インキの乾燥防止に貢献することができる。
【００１２】
また、本発明に係る印刷機械のインキ供給装置は、版胴に塗布するインキを転移供給するローラに当該インキを噴霧する噴霧装置を有する印刷機械のインキ供給装置において、前記噴霧装置により前記ローラの表面に塗布された前記インキに縁部が接触するように設置される板状体を有するようにしたものである。
【００１３】
板状体は、ローラに塗布されたインキを掻き取り、余剰インキの除去と、インキ厚さの均一化を図る。
【００１４】
また、本発明に係る印刷機械のインキ供給装置は、版胴に塗布するインキを転移供給するローラに当該インキを噴霧する噴霧装置を有する印刷機械のインキ供給装置において、前記噴霧装置により前記ローラの表面に塗布された前記インキに当該ローラの軸幅にわたって縁部が接触する板状体を有し、且つ、当該板状体は、請求項１または２に記載の覆被体と一体となっているようにしたものである。
【００１５】
また、本発明に係る印刷機械のインキ供給装置は、前記印刷機械のインキ供給装置において、一体となった前記覆被体と前記板状体とで形成されるポケット部から前記板状体で掻き取った前記インキがインキタンクに回収され、再び前記噴霧装置へのインキ供給に用いられるようにしたものである。
【００１６】
板状体が覆被体と一体となっていれば、覆被体と板状体とで形成されるポケット部から板状体で掻き取ったインキを回収しやすくなり、再びインキ噴霧装置へのインキ供給に用いることができる。
【００１７】
また、本発明に係る印刷機械のインキ供給装置は、前記印刷機械のインキ供給装置において、前記インキタンク内には、撹拌手段が設けられるようにしたものである。
【００１８】
インキタンク内に攪拌手段があれば、インキの粘度を低下させ、噴霧に適した状態にすることができる。
【００１９】
また、本発明に係る印刷機械のインキ供給装置は、前記印刷機械のインキ供給装置において、さらに、前記噴霧装置は、噴霧媒体供給源として洗浄剤タンクを有し、当該洗浄剤タンクから洗浄剤が供給され、前記ポケット部で前記洗浄剤が回収され、前記洗浄剤タンクに溜められるようにしたものである。
【００２０】
印刷機械の通常運用時ではインキ噴霧の対象となるローラにインキを噴霧し、メンテナンス時には洗浄液を噴霧することにより、噴霧装置自体の洗浄と、インキ噴霧対象のローラの洗浄とが一度に可能となる。また、噴霧対象となるローラには、覆被体が設けられるので、洗浄液の飛散も防止でき、一般的な洗浄手段よりも洗浄性能が向上する。また、本発明に係るインキ供給装置は、インキや洗浄液を回収、再利用可能なので、無駄が少なく経済的となる。
【００２１】
また、本発明に係る印刷機械のインキ供給装置は、前記印刷機械のインキ供給装置において、前記噴霧装置は、噴霧口が、前記ローラと隣合うローラとの境目に向けられるようにしたものである。
【００２２】
インキ噴霧装置の噴霧口をローラ間の境目方向に向けると、ちょうどローラとローラとが、インキ噴霧装置から噴霧されるインキを取り囲むような位置となる。これにより、インキが飛散しにくくなる効果が得られる。噴霧装置の周囲を覆被体で囲めば、さらに飛散防止効果は向上する。
【発明の効果】
【００２３】
本発明に係る印刷機械のインキ供給装置によれば、噴霧後のインキの乾燥防止、飛散防止、余剰インキの掻き取りによる膜圧均一化、インキの回収、再利用等が可能となり、十分実用に耐える印刷機械のインキ供給装置を構築できる。
【発明を実施するための最良の形態】
【００２４】
以下に、本発明に係る印刷機械のインキ供給装置の実施例を図面に基づいて詳細に説明する。なお、この実施例によりこの発明が限定されるものではない。
【実施例１】
【００２５】
図１−１は、本発明に係る印刷機械のインキ供給装置の構成を示す説明図である。また、図１−２は、当該インキ供給装置の構成を立体的に示した斜視図である。印刷機械のインキ供給装置１には、インキ元ローラ２と中間ローラ３が隣り合って設けられる。インキ元ローラ２へのインキ供給には、インキ噴霧装置７が用いられる。インキ噴霧装置７へのインキ供給には、インキタンク８からのインキ供給管１１が用いられる。なお、ここでは、インキを最初に供給するローラをインキ元ローラ２と称し、当該インキローラ２から版胴までインキを転動しながら受け渡し供給するローラを代表して中間ローラ３と称し、当該中間ローラは、一つでもよいし、複数のローラで構成されるようにしてもよい。
【００２６】
本実施例１において、インキ噴霧装置７は、インキ元ローラ２のおよそ回転中心方向の表面に向けてインキを噴霧する。そして、インキ元ローラ２の軸方向全体にわたり、その周囲には、覆被体４，９が設けられる。さらに具体的には、図１に示すように、覆被体４，９は、噴霧装置７の周囲も取り囲んで設けられると共に、隣り合うローラ（ここでは中間ローラ３）に干渉しない範囲で、前記ローラの周囲を取り囲んで設けられる態様が好適である。
【００２７】
このように、インキ元ローラ２の周囲に覆被体４，９が設けられると、インキ噴霧装置７から噴霧されたインキの飛散が防止されると共に、覆被体４，９とインキ元ローラ２との隙間には、湿った雰囲気が閉じこめられ易くなるので、インキ元ローラ２に付着したインキが、乾きにくくなるという効果がある。また、インキ元ローラ２の表面にゴミ、塵が付着するのも防止できる。
【００２８】
また、本実施例１では、インキ噴霧装置７によりインキ元ローラ２の表面に塗布されたインキに縁部が接触するようインキ元ローラ２の軸幅にわたって設置される板状体５，６（以後、ブレードと称する。）が設けられる。なお、ここでは、ブレード５，６が覆被体４，９と一体となっているが、必ずしも一体となっている必要はない。
【００２９】
ブレード５，６が覆被体４，９と一体となっている場合は、覆被体４，９とブレード５，６とで形成されるポケット部からブレード５，６で掻き取ったインキを、インキ回収管１０を通じてインキタンク８に回収しやすくなり、再びインキ噴霧装置７へのインキ供給に用いることができる。インキをさらに回収しやすくするには、覆被体４，９の内側に撥水加工（たとえば、フッ素樹脂加工等）を施しておくとよい。
【００３０】
インキ回収管１０が連通するポケット部は、図１−１のようにインキ元ローラ２が反時計回りに回転するときは、覆被体９とブレード６との間に形成されるポケット部、時計回りに回転するときは、覆被体４とブレード５との間に形成されるポケット部とする。なお、インキタンク８の内部には、インキの練り効果も付与できる撹拌手段（たとえば、電動機の軸に回転羽根を付したもの）を設けておくのが好ましい。
【００３１】
図２−１は、インキ元ローラに対するブレードの距離調整機構を示す断面図である。また、図２−２は、図２−１に示す距離調整機構を立体視した斜視図である。図２−１に示すように、この距離調整機構１３において、覆被体９と一体になったブレード６には、ねじを形成した軸１４が付設される。そして、当該軸１４は、覆被体９を貫通し、カラー１５を挟んでねじ１６で締止されている。図２−２に示すように、当該距離調整機構１３は、覆被体９やブレード６の幅方向にわたり、複数設けておくのが好ましい。
【００３２】
インキ噴霧装置がインキ元ローラの幅方向（軸方向）に複数設けられるとき、インキ噴霧装置の噴霧幅との関係で、噴霧ムラができる可能性がある。これらのムラはブレードでほぼ均一化されるが、ブレードの取付誤差、経年変化によって、どうしてもムラが生じやすくなる場合がある。そのようなときでも、当該距離調整機構１３を用いれば、幅方向にわたってブレードとインキ元ローラとの距離を微調整できるので、インキ厚みの均一さを長く維持することができる。
【００３３】
図３は、インキ噴霧装置の配置と噴霧幅との関係を示す説明図である。上述したように、インキ噴霧装置７は、インキ元ローラ２の幅方向に複数設けられるのが一般的となる。このように、噴霧装置７を複数並設すれば、従来はキー方式によって幅方向の供給量を制御していたのに対し、噴霧装置による間欠噴霧することも容易となり、それによってインキ供給量の制御も容易となる。
【００３４】
噴霧装置のノズルは一列に配置するものとする。噴霧対象となるローラが、噴霧装置の上から下に向く方向で回転する場合、図１−１に示したように、当該ローラ断面を時計文字盤とすると、６時から９時の位置にインキを噴霧することで、塗布効率を上げることができる。また、スプレーの角度はローラの法線に対して、±３０度以下に抑えることが望ましい。なお、図３のノズル−ローラ間距離Ｌ１、ノズル間距離Ｌ２、塗布幅（ローラ面長方向）Ｄａ、塗布幅（ローラ回転方向）Ｄｂ、および塗布幅Ｄｐ、塗布重なり幅Ｄｒを用いた噴霧装置の好適設置条件は、図４の図表に示した通りである。
【００３５】
上記の値は、印刷機における、最小塗布制御巾(現状３５ｍｍ)として算出したものであり、１つ又は２つのノズルで３５ｍｍの巾に均一に塗布することを条件としたものである（Ｌ２〜Ｄｒ）。また、ノズル・ローラ間距離については、近すぎると噴霧圧による液の跳ね返り、遠すぎると液の拡散による塗布ムラが生じることから、これらの範囲が適性範囲となる。なお、当該条件値は、現状のキー巾を想定したものであり、塗布巾Ｄｂの変更によって、条件は変更する可能性がある。塗布巾Ｄａ，Ｄｂが決まれば、他の条件は図３中の角度θを用いて求めることができる。
【実施例２】
【００３６】
図５−１は、この発明の実施例２における構成を示す説明図である。また、図５−２は、図５−１に示した構成を立体的に示した斜視図である。実施例２では、インキ噴霧装置７を用いること、覆被体２２，２３を用いること、ブレード３１を用いること等、実施例１と基本的な部分は同一であるが、インキ噴霧装置７の噴霧方向が異なる。なお、中間ローラの数が実施例１の場合よりも多いが、これはインキの練り効果またはなじみ効果をより上げるためであり、必ずしも多く設ける必要はない。また、実施例１において、当該効果を上げるために中間ローラの数を増やすことも考えられる。その際、中間ローラの一部に非粘着ローラを介入すると練り効果が上がる。
【００３７】
具体的に、インキ噴霧装置７の噴霧方向は、噴霧口が、非粘着ローラ２４と隣合うメタルローラ２５との境目に向けられる方向とする。インキ噴霧装置７の噴霧口を当該方向に向けると、図５−１に示した構成の場合、ちょうど非粘着ローラ２４とメタルローラ２５とが、インキ噴霧装置７から噴霧されるインキを取り囲むような位置となる。これにより、インキが飛散しにくくなる効果が得られる。また、両ローラ２４，２５とインキ噴霧装置７とで形成された空間を、より密閉した空間にするために覆被体２２，２３をインキ噴霧装置７および両ローラ２４、２５の周囲に設けるのが好ましい。
【００３８】
余剰インキをかき取り、塗布されたインキの厚さを均一にするためには、実施例１の場合と同様に、ローラ表面に塗布されるインキに縁部が接触するブレード５，６を設けるようにしてもよい。ブレード３１は、直接、ローラ表面の塗料を掻き取る様にしてもよいし、図５−１に示すように、余剰インキ回収ローラ２７の表面インキを掻き取るようにしてもよい。なお、同図に図示したように、この実施例２においても、覆被体２３とブレード３１とで形成されるポケット部３２から、インキ回収管２８を通じてインキタンク３０にインキを回収するようにしておくのが好ましい。インキタンク３０からインキ供給管２９を通じてインキ噴霧装置７にインキを供給することも同様に好ましい。また、インキタンク３０内には、撹拌手段Ｓを設けておけば、インキの練り、攪拌効果が得られるので好適である。
【実施例３】
【００３９】
図６は、この発明の実施例３における構成を示す説明図である。実施例３も、覆被体４，９、ブレード５，６の特徴等、基本的な構成は、実施例１と同様であるが、実施例３では、インキ噴霧装置７の噴霧媒体としてインキと洗浄液との２系統有する点が特徴である。同図に示すように、このインキ供給装置５１では、インキ噴霧装置７への噴霧媒体として、洗浄液とインキとがそれぞれ洗浄液タンク４４、およびインキタンク４３から、それぞれインキ供給管４７、およびインキ供給管３３を通じて供給される。どちらの噴霧媒体を噴霧するかは電磁弁等で構成される切替弁３５の切り替えによって決定される。
【００４０】
また、インキ元ローラ２の表面からブレード６によって掻き取られる余剰インキは、覆被体９とブレード６との間のポケット部５２から回収され、切替弁３６の切り替えにより、配管３７、配管３９、および調整用タンク４０、配管４１を通じてインキタンク４３に回収され、再利用される。洗浄液も同様に、覆被体９とブレード６との間のポケット部５２から回収され、切替弁３６の切り替えにより、配管３７，３８、および洗浄廃液再生用タンク２２、配管４６を通じて洗浄液タンク４４に回収され、再利用される。
【００４１】
上記調整用タンク４０は、水を代表とする溶媒の量を調整し、インキの調質を行うものである。また、インキタンク４３の内部には、攪拌装置４５（たとえば電動軸に回転羽根を付したもの等）を設置し、予め噴霧装置７で噴霧可能な粘度までインキの粘度を低下させておくのが好ましい。なお、洗浄時に出た廃液は、洗浄廃液再生用タンク２２にてろ過して再利用するとよい。
【００４２】
このように、インキ噴霧装置７の噴霧媒体供給源として、インキタンク４３と洗浄液タンク４４との２系統有し、弁により切り替え可能にしておけば、印刷機械の通常運用時ではインキ噴霧の対象となるローラにインキを噴霧し、メンテナンス時には洗浄液を噴霧することにより、噴霧装置７自体の洗浄と、インキ噴霧対象のローラの洗浄とが一度に可能となる。また、噴霧対象となるローラには、覆被体４，９が設けられるので、洗浄液の飛散も防止でき、洗浄性能が良い。また、本発明に係るインキ供給装置５１は、インキや洗浄液が回収、再利用可能なので、無駄が少なく経済的である。
【００４３】
以上説明したように、この発明に係る印刷機械のインキ供給装置によれば、インキ元ローラ等の対象ローラにインキ噴霧装置を用いるので、噴霧口の絞りを一定にすれば、インキを定量供給することが容易となる。また、インキ壺と多数のインキ練りローラを利用する従来の供給方式では高粘度のインキしか扱えなかったが、本方式では、利用できるインキの粘度の幅が広がり(数Poise〜数百Poise)、水性インキも使用可能となる。
【００４４】
また、噴霧対象となるローラの表面に塗布されるインキがブレードによって均されるため、均一膜厚を供給することができる。また、ブレードで掻き取られた余剰インキは、循環経路を経由してインキタンクに戻すことができる。また、インキ供給経路が外気に対して閉じているため、インキの物性変化(特に乾燥)し難いという特徴もある。同様に、インキ供給経路が外気に対して閉じているため、外部からの異物が混入し難い。さらに、粘度の小さいインキを利用できるので、噴霧対象となるローラと隣り合うローラとを等速で回転させることができ、印刷品質の安定化が図れる。また、覆被体の内側に撥水処理(フッ素加工等)を施すことによって、余剰インキの回収効率が図れるという効果も生じる。
【産業上の利用可能性】
【００４５】
以上のように、本発明にかかる印刷機械のインキ供給装置は、インキを噴霧してローラに供給するタイプの印刷機械に有用であり、リサイクル指向の印刷機械にも適している。
【図面の簡単な説明】
【００４６】
【図１−１】本発明に係る印刷機械のインキ供給装置の構成を示す説明図である。
【図１−２】当該インキ供給装置の構成を立体的に示した斜視図である。
【図２−１】インキ元ローラに対するブレードの距離調整機構を示す断面図である。
【図２−２】図２−１に示す距離調整機構を立体視した斜視図である。
【図３】インキ噴霧装置の配置と噴霧幅との関係を示す説明図である。
【図４】インキ噴霧装置の設置条件を示す図表である。
【図５−１】この発明の実施例２における構成を示す説明図である。
【図５−２】図５−１の構成を立体的に示した斜視図である。
【図６】この発明の実施例３における構成を示す説明図である。
【符号の説明】
【００４７】
１、５１  インキ供給装置
２  インキ元ローラ
３  中間ローラ
４、９  覆被体
５、６、３１  ブレード（板状体）
７  インキ噴霧装置
８、３０、４３、４５  インキタンク
９  覆被体
１０、２８  インキ回収管
１１、２９、３３、４７  インキ供給管
１３  距離調整機構
２２、２３  覆被体
２４  非粘着ローラ
２５  メタルローラ
２７  余剰インキ回収ローラ
３２  ポケット部
３５、３６  切替弁
４０  調整用タンク
４４  洗浄液タンク
Ｄｐ  塗布幅
Ｌ１  ローラ間距離
Ｌ２  ノズル間距離
【図１−１】
2008030242.tif 000003
【図１−２】
2008030242.tif 000004
【図２−１】
2008030242.tif 000005
【図２−２】
2008030242.tif 000006
【図３】
2008030242.tif 000007
【図４】
2008030242.tif 000008
【図５−１】
2008030242.tif 000009
【図５−２】
2008030242.tif 000010
【図６】
2008030242.tif 000011